(57)【要約】      （修正有）【課題】外乱光の影響を軽減して光によるデータ通信を行う通信システム、電子機器及びプログラムを提供する。【解決手段】通信システム１は、一辺の長さが５ｃｍ以上の筐体１０５と、表示を変化させることで電子機器に光信号を送信する表示部１０３とを有する携帯機器１０と、光信号を受信するときに表示部１０３と対向する対向部の大きさが筐体１０５より小さく、対向部を介して入射される光信号を受信する電子時計２０と、を備える。【選択図】図４
2016063363.tif 000002
【特許請求の範囲】
【請求項１】
一辺の長さが５ｃｍ以上の筐体と、表示を変化させることで電子機器に光信号を送信する表示部とを有する携帯機器と、
前記光信号を受信するときに前記表示部と対向する対向部の大きさが前記筐体より小さく、前記対向部を介して入射される光信号を受信する電子機器と、
を備える通信システム。
【請求項２】
前記携帯機器は、前記表示部全体の表示を前記光信号に応じて変化させて前記光信号の送信を行う請求項１に記載の通信システム。
【請求項３】
前記電子機器は、送信された前記光信号を、太陽電池を用いて受光して受信する請求項１または請求項２に記載の通信システム。
【請求項４】
前記対向部は、
前記光信号を受信するときに前記表示部と対向する対向面を有する風防と、
前記対向面を有し、前記風防の周縁部を覆うベゼルと、を備え、
前記表示部と前記対向部との接触により前記光信号の送受信を行う場合、前記風防の対向面及び前記ベゼルの対向面のうち、少なくとも１つの対向面が平坦面である請求項１から請求項３のいずれか１項に記載の通信システム。
【請求項５】
前記ベゼルの対向面は、前記風防の対向面と同一平面上にあり、
前記ベゼルの対向面と前記風防の対向面とが平坦面である請求項４に記載の通信システム。
【請求項６】
前記風防の対向面は、平坦面であり、
前記表示部と前記対向部とを対向させたときに、前記表示部と前記風防の対向面との距離より、前記表示部と前記ベゼルの対向面との距離の方が離れている請求項４に記載の通信システム。
【請求項７】
前記ベゼルの対向面は、平坦面であり、
前記表示部と前記対向部とを対向させたときに、前記表示部と前記ベゼルの対向面との距離より、前記表示部と前記風防の対向面との距離の方が離れている請求項４に記載の通信システム。
【請求項８】
光信号を送信する携帯機器からの前記光信号を受光して受信する太陽電池と、
前記太陽電池から受光する面の上部に設けられる対向部であって、前記光信号を受信するときに前記携帯機器が有する表示部と対向する対向面を有する対向部と、
を備え、
前記対向部の大きさは、前記携帯機器が有する一辺の長さが５ｃｍ以上の筐体の大きさより小さい電子機器。
【請求項９】
前記対向部は、
前記対向面を有する風防と、
前記対向面を有し、前記風防の周縁部を覆うベゼルと、を備え、
前記表示部と前記対向部との接触により前記光信号を受信する場合、前記風防の対向面、及び前記ベゼルの対向面のうち、少なくとも１つの対向面が平坦面である請求項８に記載の電子機器。
【請求項１０】
一辺の長さが５ｃｍ以上の筐体と、表示を変化させることで電子機器に光信号を送信する表示部を有し、光信号を送信するときに前記表示部と対向する対向面の大きさが前記筐体より小さい対向部を有する電子機器に光信号を送信する携帯機器のコンピュータに、
前記表示部全体の表示を前記光信号に応じて変化させて前記光信号の送信を行うステップ、
を実行させるためのプログラム。
【発明の詳細な説明】
【技術分野】
【０００１】
本発明は、通信システム、電子機器、及びプログラムに関する。
【背景技術】
【０００２】
近年、送信装置が発光し、その光を電子時計の太陽電池が受光することで光信号によって光通信を行うデータ送信システムが提案されている。このようなデータ送信システムでは、送信すべき光信号に応じて送信装置の発光源を点滅させ、出射された光信号を電子時計の太陽電池で受光することでデータ通信を行っていた（例えば、特許文献１参照）。
【先行技術文献】
【特許文献】
【０００３】
【特許文献１】特開２００１−９９９６４号公報
【発明の概要】
【発明が解決しようとする課題】
【０００４】
しかしながら、特許文献１に記載された技術では、屋外等でデータ通信を行う場合、発光源からの光信号と外乱光とによるレベル差が得られないため、送信装置と電子時計との間でデータ通信を行えない場合があるという問題がある。
【０００５】
本発明は、上記の事情に鑑み成されたものであって、外乱光の影響を軽減して光によるデータ通信を行うことができる通信システム、電子機器、及びプログラムを提供することを目的とする。
【課題を解決するための手段】
【０００６】
上記目的を達成するため、本発明の一態様に係る通信システムは、一辺の長さが５ｃｍ以上の筐体と、表示を変化させることで電子機器に光信号を送信する表示部とを有する携帯機器と、前記光信号を受信するときに前記表示部と対向する対向部の大きさが前記筐体より小さく、前記対向部を介して入射される光信号を受信する電子機器と、を備える。
【０００７】
また、本発明の他の態様の通信システムにおいて、前記携帯機器は、前記表示部全体の表示を前記光信号に応じて変化させて前記光信号の送信を行うようにしてもよい。
【０００８】
また、本発明の他の態様の通信システムにおいて、前記電子機器は、送信された前記光信号を、太陽電池を用いて受光して受信するようにしてもよい。
【０００９】
また、本発明の他の態様の通信システムにおいて、前記対向部は、前記光信号を受信するときに前記表示部と対向する対向面を有する風防と、前記対向面を有し、前記風防の周縁部を覆うベゼルと、を備え、前記表示部と前記対向部との接触により前記光信号の送受信を行う場合、前記風防の対向面及び前記ベゼルの対向面のうち、少なくとも１つの対向面が平坦面であるようにしてもよい。
【００１０】
また、本発明の他の態様の通信システムにおいて、前記ベゼルの対向面は、前記風防の対向面と同一平面上にあり、前記ベゼルの対向面と前記風防の対向面とが平坦面であるようにしてもよい。
【００１１】
また、本発明の他の態様の通信システムにおいて、前記風防の対向面は、平坦面であり、前記表示部と前記対向部とを対向させたときに、前記表示部と前記風防の対向面との距離より、前記表示部と前記ベゼルの対向面との距離の方が離れているようにしてもよい。
【００１２】
また、本発明の他の態様の通信システムにおいて、前記ベゼルの対向面は、平坦面であり、前記表示部と前記対向部とを対向させたときに、前記表示部と前記ベゼルの対向面との距離より、前記表示部と前記風防の対向面との距離の方が離れているようにしてもよい。
【００１３】
上記目的を達成するため、本発明の一態様に係る電子機器は、光信号を送信する携帯機器からの前記光信号を受光して受信する太陽電池と、前記太陽電池から受光する面の上部に設けられる対向部であって、前記光信号を受信するときに前記携帯機器が有する表示部と対向する対向面を有する対向部と、を備え、前記対向部の大きさは、前記携帯機器が有する一辺の長さが５ｃｍ以上の筐体の大きさより小さい。
【００１４】
また、本発明の他の態様の電子機器において、前記対向部は、前記対向面を有する風防と、前記対向面を有し、前記風防の周縁部を覆うベゼルと、を備え、前記表示部と前記対向部との接触により前記光信号を受信する場合、前記風防の対向面、及び前記ベゼルの対向面のうち、少なくとも１つの対向面が平坦面であるようにしてもよい。
【００１５】
上記目的を達成するため、本発明の一態様に係るプログラムは、一辺の長さが５ｃｍ以上の筐体と、表示を変化させることで電子機器に光信号を送信する表示部を有し、光信号を送信するときに前記表示部と対向する対向面の大きさが前記筐体より小さい対向部を有する電子機器に光信号を送信する携帯機器のコンピュータに、前記表示部全体の表示を前記光信号に応じて変化させて前記光信号の送信を行うステップ、を実行させる。
【発明の効果】
【００１６】
本発明の幾つかの態様によれば、通信システムでは、電子機器の対向部は、携帯機器の筐体の大きさより小さいものとなっている。この構成によって、通信システムでは、対向部を携帯機器で覆うことで、対向部へ入る外乱光を遮ることができる。これにより電子機器は、外乱光の影響が低減される。この結果、本実施形態の通信システムでは、携帯機器からの光信号と、ノイズである外乱光とのＳＮ（Ｓｉｇｎａｌ−ｔｏ−Ｎｏｉｓｅ；信号対ノイズ）比を向上させることができる。
【図面の簡単な説明】
【００１７】
【図１】第１実施形態に係る通信システムの構成を示した概略図である。
【図２】第１実施形態による携帯機器が送信する光信号のタイミングと、制御回路が出力するスイッチ制御信号の出力タイミングの例を説明する図である。
【図３】第１実施形態に係る電子時計の概略断面図と外観図である。
【図４】第１実施形態に係る携帯機器の筐体と電子時計の対向部との大きさの関係の一例を説明する図である。
【図５】第１実施形態に係る風防を覆うように表示対向面をかざして光通信を行う例を説明する図である。
【図６】第１実施形態に係る表示対向面に風防対向面を接触させて光通信を行う例を説明する図である。
【図７】第２実施形態に係る電子時計の概略断面図である。
【図８】第２実施形態に係る表示対向面に風防対向面を接触させて光通信を行う例を説明する図である。
【図９】第３実施形態に係る電子時計の概略断面図である。
【図１０】第３実施形態に係る表示対向面にベゼル対向面を接触させて光通信を行う例を説明する図である。
【発明を実施するための形態】
【００１８】
＜第１実施形態＞
以下、本発明の第１実施形態について図面を参照しながら説明する。
図１は、本実施形態に係る通信システム１の構成を示した概略図である。図１に示すように、通信システム１は、携帯機器１０と電子時計２０とを含んでいる。携帯機器１０は、例えば、スマートフォンや、携帯電話機や、タブレット端末等である。図示する例では、携帯機器１０は、時刻データ取得部１０１、制御部１０２、表示部１０３、及び入力部１０４を備えている。表示部１０３は、バックライト装置１０３１及び表示パネル１０３２を備えている。
【００１９】
時刻データ取得部１０１は、現在時刻（時分秒）を取得する。例えば、時刻データ取得部１０１は、携帯機器１０が計時する現在時刻を取得する。なお、携帯機器１０は、現在時刻の精度を高めるために、インターネット上の時刻サーバにアクセスして現在時刻を取得して、現在時刻を補正するようにしてもよい。そして、携帯機器１０は、取得した現在時刻を示す情報を制御部１０２に出力する。なお、時刻データ取得部１０１は、ＧＰＳ（Ｇｌｏｂａｌ  Ｐｏｓｉｔｉｏｎｉｎｇ  Ｓｙｓｔｅｍ）を用いて現在時刻を取得してもよく、例えば携帯電話の基地局からの制御信号から現在時刻を取得するようにしてもよい。
【００２０】
制御部１０２は、携帯機器１０が備える各部の制御を行う。制御部１０２は、時刻データ取得部１０１から入力された現在時刻を示す情報に応じて、表示部１０３全面の表示を変化させるようにバックライト装置１０３１の制御を行う。これにより、制御部１０２は、表示部１０３全面の表示を変化させて、符号３０に示すように、電子時計２０へデータを光信号として送信する。ここで、表示を変化させるとは、バックライト装置１０３１の発光する光の輝度を制御することである。
【００２１】
なお、携帯機器１０には、電子時計２０との間で光信号を用いて光通信を行う通信アプリケーションが記憶されている。なお、携帯機器１０は、ネットワークを介して通信アプリケーションを取得するようにしてもよい。利用者は、電子時計２０との間で光通信を行うとき、この通信アプリケーションを起動させる。その後、利用者は、例えば入力部１０４から入力される光通信の開始、終了を指示する。そして、制御部１０２は、通信アプリケーションが起動されたとき、または利用者によって光通信を開始する指示が行われたときにバックライト装置１０３１を点滅させるように制御する。
【００２２】
表示パネル１０３２は、制御部１０２の制御に応じて文字情報や画像情報が表示する。表示パネル１０３２は、例えば、液晶（ＬＣＤ、Ｌｉｑｕｉｄ  Ｃｒｙｓｔａｌ  Ｄｉｓｐｌａｙ）パネル、有機ＥＬ（エレクトロルミネセンスパネル）パネル等である。
【００２３】
バックライト装置１０３１は、制御部１０２の制御に応じて表示パネル１０３２を照明する装置である。ここで表示パネル１０３２において利用者から直接見える面を表面、反対の面を裏面と定義する。バックライト装置１０３１は、表示パネル１０３２の裏面や、反射板など介して側面に取り付けられている。また、バックライト装置１０３１は、制御部１０２の制御に応じて光の輝度を変化させる。
【００２４】
入力部１０４は、スイッチ等を備え、利用者による操作の入力を受け付ける。入力部１０４は、操作によって入力されたことを示す情報や入力された情報を、制御部１０２に出力する。
【００２５】
電子時計２０は、時刻を表示する時計である。図１に示す例では、アナログ表示で時刻を表示する。図示する例では、電子時計２０は、太陽電池２０１、制御回路２０２、スイッチ２０３、二次電池２０４、ダイオード２０５、基準信号生成回路２０６、ステッピングモータ２０７、表示部２０８、対向部２０９、記憶部２１２、及び入力部２１３を備えている。表示部２０８は、文字板２０８１、指針２０８２、及び日付部２０８３を備えている。対向部２０９は、風防２１０及びベゼル２１１を備えている。
【００２６】
太陽電池２０１は、充電期間に光（太陽、照明など）を受光して電気エネルギーに変換する発電部として動作する。また、太陽電池２０１は、通信期間に携帯機器１０から時刻補正量データを示す光信号を受信する受信部として動作する。充電期間および通信期間については後述する。
【００２７】
制御回路２０２は、電子時計２０が備える各部の制御を行う。制御回路２０２は、基準信号生成回路２０６が生成した基準信号に基づいてパルス信号を生成する。制御回路２０２は、生成したパルス信号をステッピングモータ２０７に出力する。また、制御回路２０２は、太陽電池２０１が発電した電力の二次電池２０４への充電制御を行う。また、制御回路２０２は、二次電池２０４の過充電防止制御を行う。また、制御回路２０２は、太陽電池２０１を用いて光信号の受信を行う。制御回路２０２は、電源端子とＧＮＤ端子に接続された二次電池２０４が出力する電力により作動する。このとき、制御回路２０２は、二次電池２０４の出力電圧を検出することで、二次電池２０４の充電状態（フル充電、過放電など）を判定する。そして、制御回路２０２は、判定結果と基準信号生成回路２０６が出力する基準信号に基づいて、制御端子からスイッチ制御信号を出力し、スイッチ２０３のオン状態とオフ状態との制御を行うことで、所定の充電制御を行う。このとき、制御回路２０２は、二次電池２０４の充電状態に応じて、制御端子から出力するスイッチ制御信号によってスイッチ２０３のオン状態とオフ状態との制御を行う。オン状態にすることで、太陽電池２０１と二次電池２０４とが接続され、二次電池２０４への充電が行われる。また、オフ状態にすることで、太陽電池２０１と二次電池２０４とが切断され、二次電池２０４への過充電が防止される。
【００２８】
また、制御回路２０２は、通信期間において、基準信号生成回路２０６によって生成された基準信号を用いて、例えば４［Ｈｚ］の周期で、入力端子に入力された太陽電池２０１の出力電圧を検出する。ここで、出力電圧で表される状態の時系列のデータが、後述するように時刻補正量データである。制御回路２０２は、検出した出力電圧を電気信号に変換することで、携帯機器１０から送信される時刻補正量データを受信する。そして、制御回路２０２は、受信した時刻補正量データに基づいて補正量を算出し、算出した補正量を基準信号生成回路２０６に出力する。そして、制御回路２０２は、補正された後の基準信号に基づいてパルス信号を生成し、生成したパルス信号をステッピングモータ２０７に出力する。
【００２９】
スイッチ２０３は、制御回路２０２から入力されるスイッチ制御信号に基づいて、太陽電池２０１と二次電池２０４との接続、または切り離しを行う。二次電池２０４は、電子時計２０が備える各部に電力を供給する。
ダイオード２０５は、二次電池２０４に対する電流の逆流を防止する。
【００３０】
基準信号生成回路２０６は、発振回路（例えば３２ｋＨｚ）と分周回路からなり、ステッピングモータ２０７を制御するための基準信号を生成する。基準信号の周波数は、例えば１Ｈｚである。基準信号生成回路２０６は、生成した基準信号を制御回路２０２に出力する。また、基準信号生成回路２０６は、制御回路２０２から入力された補正量に応じて、例えば分周回路の分周比を調整することで、基準信号を生成するタイミングを補正する。
ステッピングモータ２０７は、制御回路２０２から入力されるパルス信号に基づいて、指針２０８２と日付部２０８３とを駆動する（回転させる）。
【００３１】
表示部２０８は、文字板２０８１と、指針２０８２と、日付部２０８３とを用いて、時刻および日付をアナログ表示で表示する。表示部２０８は、文字板２０８１及び指針２０８２により時刻を示し、日付部２０８３により日付を示す。ここで、文字板２０８１は、太陽電池２０１が充電に必要な太陽光や照明の光、及び携帯機器１０からの光信号を透過する材質で形成されている。なお、文字板２０８１は、充電に必要な太陽光や照明の光、及び携帯機器１０からの光信号を透過するように、例えば微小な穴が複数形成されていてもよい。
【００３２】
対向部２０９は、携帯機器１０からの光信号を受信するとき、携帯機器１０の表示部１０３と対向する対向面を有する部である。ここで、対向部の大きさは、例えば風防２１０の外周の大きさ、または、ベゼル２１１の外周の大きさである。
風防２１０は、表示部２０８や電子時計２０の内部の部品を保護するために、ベゼル２１１によってケースに取り付けられている。風防２１０は、充電に必要な太陽光や照明の光、及び携帯機器１０からの光信号を透過する材質で形成されている。風防２１０の材質は、例えば、無機ガラスやサファイヤガラスやプラスチックなどである。
【００３３】
ベゼル２１１は、風防２１０の周りに取り付けられた部品である。ベゼル２１１は、風防２１０の保護、防水性の確保する機能、または電子時計２０の表示機能を補う印字等を有している。
記憶部２１２は、例えば不揮発性メモリであり、電子時計２０が備える各部が用いるデータを記憶する。
入力部２１３は、ユーザによる操作の入力を受け付け、受け付けた操作内容を示す情報を制御回路２０２に出力する。
【００３４】
次に、携帯機器１０と電子時計２０との間の光通信方法について説明する。以下の説明では、バックライト装置１０３１の輝度を制御して、表示パネル１０３２の表示を変化させて光信号を送信する例を説明する。例えば、携帯機器１０は、「１」を送信する際にはバックライト装置１０３１を発光させ、「０」を送信する際にはバックライト装置１０３１を消灯させる。これにより、表示パネル１０３２上には、バックライト装置１０３１を発光させたとき例えば白色が表示され、バックライト装置１０３１を消灯させたとき例えば黒色が表示される。
そして、電子時計２０は、太陽電池２０１を用いて光信号を受信する。例えば、電子時計２０の制御回路２０２は、太陽電池２０１が光信号を受光して所定の電圧値以上の電圧を発生した場合に「１」を受信したと判定し、太陽電池２０１が所定の電圧値未満の電圧を発生した場合に「０」を受信したと判定する。
【００３５】
太陽電池２０１と二次電池２０４とが接続されている場合、二次電池２０４の出力電圧により、制御回路２０２は、太陽電池２０１が発生した電圧を正確に判定することができない。そこで、制御回路２０２がスイッチ２０３を制御し、太陽電池２０１と二次電池２０４とを切り離す。なお、太陽電池２０１と二次電池２０４とを切り離している期間を「通信期間（ＯＦＦ期間）」とする。
【００３６】
また、通信期間以外の期間、制御回路２０２は、スイッチ２０３を制御して、太陽電池２０１と二次電池２０４とを接続する。太陽電池２０１と二次電池２０４とを接続している期間を「充電期間（ＯＮ期間）」とする。これにより、電子時計２０は、受信期間において、より精度良くデータを受信することができる。
【００３７】
なお、電子時計２０では、通信期間において二次電池２０４を充電することができない。このため、通信期間は短い方が望ましい。従って、本実施形態では、電子時計２０は、通常時には充電期間とし、一定期間毎に短い通信期間を設ける。そして、電子時計２０は、短い通信期間中に携帯機器１０から光信号に含まれる同期信号を受信した場合、時刻補正量データを受信するまで通信期間を継続する。一方、電子時計２０は、通信期間中に携帯機器１０から同期信号を受信できない場合、充電期間とするようにスイッチ２０３を制御する。
【００３８】
図２は、本実施形態による携帯機器１０が送信する光信号のタイミングと、制御回路２０２が出力するスイッチ制御信号の出力タイミングの例を説明する図である。図２（Ａ）は、携帯機器１０が電子時計２０に対して送信する同期信号と、スタート信号と、時刻補正量データとの送信タイミングを示した図である。図２（Ｂ）は、電子時計２０の制御回路２０２が出力するスイッチ制御信号の出力タイミングを示した図である。なお、図２（Ａ）に示した光信号の構成は一例であり、他の信号を含んでいてもよい。また、光信号のタイミングは一例であり、これに限られない。
【００３９】
図２（Ａ）に示す通り、携帯機器１０は、時刻補正量データを送信する際に、同期信号を送信する（時刻ｔ３〜時刻ｔ５）。その後、携帯機器１０は、スタート信号を送信する（時刻ｔ６〜時刻ｔ７）。その後、携帯機器１０は、時刻補正量データを送信する（時刻ｔ８〜時刻ｔ９）。
【００４０】
また、図２（Ｂ）に示す通り、電子時計２０は、充電期間に移行してから一定時間経過した後、スイッチ２０３をＯＦＦ状態にし、通信期間に移行させる（時刻ｔ１）。また、電子時計２０は、通信期間に移行させてから同期信号を受信せず一定時間経過した後、スイッチ２０３をＯＮ状態にし、充電期間に移行させる（時刻ｔ２）。また、電子時計２０は、充電期間に移行させてから一定時間経過した後、スイッチ２０３をＯＦＦ状態にし、通信期間に移行させる（時刻ｔ４）。時刻ｔ４において、携帯機器１０から同期信号が送信されているため、電子時計２０は、同期信号を受信する。同期信号を受信したことにより、電子時計２０は、時刻補正量データの受信が完了する時刻ｔ９まで通信期間とする。また、電子時計２０は、時刻補正量データの受信が完了した場合、充電期間に移行させる（時刻ｔ９）。以降、同様に、電子時計２０は、充電期間と通信期間とを繰り返し、携帯機器１０から送信される時刻補正量データを受信する。
【００４１】
上述したように、電子時計２０は、充電期間と、充電期間よりも短い通信期間とを繰り返す。また、短い通信期間中に同期信号を受信した場合、時刻補正量データの受信を完了するまで通信期間とする。これにより、電子時計２０は、充電期間をより長くしつつ、より精度良く光信号を受信することができる。
なお、上述した例では、携帯機器１０は、時刻補正量データを電子時計２０に送信する例を説明したが、これに限られない。また、携帯機器１０から電子時計２０に送信する情報は、時刻補正量データ以外であってもよく、例えば日時、気温、湿度、気圧、高度を示す情報等であってもよい。
【００４２】
図３は、本実施形態に係る電子時計２０の概略断面図と外観図である。図３（Ａ）は、電子時計２０の概略断面図であり、図３（Ｂ）は、電子時計２０の外観図である。
図３（Ａ）に示すように、電子時計２０は、対向部２０９、指針軸２０８４、秒針２０８２−１、長針２０８２−２、短針２０８２−３、文字板２０８１、太陽電池２０１、基盤２１４、裏蓋２１５、ケース２１６、及びベルト２１７を含んで構成される。
【００４３】
秒針２０８２−１は、１分間に１回転し、長針２０８２−２は、６０分間で１回転し、短針２０８２−３は、１２時間間で１回転する。
指針軸２０８４は、秒針２０８２−１、長針２０８２−２、及び短針２０８２−３それぞれの軸を有している。指針軸２０８４のそれぞれの軸には、秒針２０８２−１、長針２０８２−２、及び短針２０８２−３が、はめ込まれている。
【００４４】
文字板２０８１は、光及び光信号を透過する材料で形成されているか、複数の微小な穴が形成され、風防２１０から入射した光及び光信号を太陽電池２０１へ透過させる。なお、例えば半透明の透過型の太陽電池２０１の場合、太陽電池２０１は、文字板２０８１と風防２１０との間に配置されていてもよい。
【００４５】
基盤２１４には、図１で説明した制御回路２０２、スイッチ２０３、ダイオード２０５、基準信号生成回路２０６、ステッピングモータ２０７、及び記憶部２１２が取り付けられている。また、基盤２１４には、太陽電池２０１、二次電池２０４（図１）、及び入力部２１３（図１）が接続されている。
【００４６】
裏蓋２１５は、電子時計２０の裏面を保護する蓋である。裏蓋２１５の材質は、一例として樹脂、金属である。
ケース２１６の内部には、基盤２１４、太陽電池２０１、文字板２０８１、指針軸２０８４、秒針２０８２−１、長針２０８２−２、及び短針２０８２−３が組み込まれている。ケース２１６は、例えば略円筒状に形成され、表面側の開口にはベゼル２１１を介して風防２１０が取り付けられている。さらに、ケース２１６には、ベルト２１７が取り付けられている。ケース２１６の材質は、例えば樹脂、ゴム、金属（チタン等）、セラミック等である。
ベルト２１７は、利用者の手首（腕）に装着されるために使用される。
【００４７】
図３（Ａ）及び図３（Ｂ）において、電子時計２０のベルト２１７の縁と平行な方向をｘ軸方向、ｘ軸と垂直な方向をｙ軸方向、電子時計２０の厚み方向をｚ軸方向とする。図３（Ａ）に示すように、ｚ軸方向において、電子時計２０は、裏蓋２１５の上に基盤２１４が配置され、基盤２１４の上に太陽電池２０１が配置され、太陽電池２０１の上に文字板２０８１が配置され、文字板２０８１の上に風防２１０が配置されている。そして、図３（Ａ）及び図３（Ｂ）に示すように、ベゼル２１１は、風防２１０の周縁部を被覆するように配置されている。
【００４８】
ここで、利用者が電子時計２０を手首につけたとき、手首と接触する裏蓋２１５における接触面を、底面２１５ｆと定義する。また、利用者が触れることができる風防２１０の表面を、風防対向面２１０ｆと定義する。さらに、利用者が触れることができるベゼル２１１の表面を、ベゼル対向面２１１ｆと定義する。風防対向面２１０ｆ及びベゼル対向面２１１ｆは、携帯機器１０と光通信を行うとき、携帯機器１０の表示部１０３（図１）と対向する対向面である。
【００４９】
図３（Ａ）に示すように、ｚ軸方向において、底面２１５ｆからベゼル対向面２１１ｆまでの高さｈ１は、底面２１５ｆから風防対向面２１０ｆまでの高さｈ２より低い。なお、風防対向面２１０ｆ及びベゼル対向面２１１ｆそれぞれは、ｘｙ平面において平坦面であってもよい。また、風防２１０とベゼル２１１との間に、例えばＶ字型等の窪や隙間が形成されていてもよい。
【００５０】
次に、携帯機器１０の筐体の大きさと、電子時計２０の対向部２０９との大きさの関係について説明する。
図４は、本実施形態に係る携帯機器１０の筐体１０５と電子時計２０の対向部２０９との大きさの関係の一例を説明する図である。図４において、携帯機器１０の筐体１０５の長辺方向をｘ軸方向、筐体１０５の短辺方向をｙ軸方向、携帯機器１０の厚み方向をｚ軸方向とする。また、入力部２１３は、竜頭（リューズ）である。ここで、光通信を行うときに対向部２０９（図３）と対向する表示部１０３における表面を、表示対向面１０３ｆと定義する。
【００５１】
図４に示す例は、携帯機器１０がｘｙ平面上に置かれ、表示対向面１０３ｆが上向きになるように利用者によって置かれている。電子時計２０は、風防対向面２１０ｆ及びベゼル対向面２１１ｆが、表示対向面１０３ｆと対向するように利用者によって配置されている。このため、図４において、電子時計２０は、裏蓋２１５の底面２１５ｆ（図３）側から見た図である。なお、図４において、電子時計２０の表示部２０８、裏蓋２１５、及びケース２１６は省略して示している。
【００５２】
電子時計２０のベゼル２１１のｘ軸方向の幅がＤ１であり、ｙ軸方向の幅がＷ１である。幅Ｄ１及び幅Ｗ１は、ベゼル２１１の形状が略円形の場合、例えば約４［ｃｍ］である。
また、携帯機器１０の表示部１０３のｘ軸方向の幅がＤ２であり、ｙ軸方向の幅がＷ２である。表示部１０３の大きさは、例えば３．５インチの場合、Ｗ２が５［ｃｍ］、Ｄ２が７．５［ｃｍ］である。また、表示部１０３の大きさが４インチの場合は、Ｗ２が５［ｃｍ］、Ｄ２が８．９［ｃｍ］である。携帯機器１０の表示部１０３は、３．５インチ以上のものが多いため、筐体１０５のｙ軸方向の幅Ｗ３及びｘ軸方向の幅Ｄ３それぞれの長さは、５［ｃｍ］以上である。
本実施形態における通信システム１では、図４に示すようにベゼル２１１のｘｙ平面における幅は、携帯機器１０の筐体１０５の一辺の長さ５［ｃｍ］より小さい。従って、本実施形態における通信システム１では、携帯機器１０の筐体の大きさは、電子時計２０の対向部２０９の大きさより大きい。このため、光通信を行うとき、対向部２０９を携帯機器１０の筐体によって覆うことができるので、外乱光を遮ることができる。
【００５３】
なお、図４に示した例において、幅Ｄ１及びＷ１は、ベゼル２１１の幅である例を説明したが、風防２１０の幅であってもよい。この場合は、風防２１０のｘ軸方向の幅がＤ１であり、ｙ軸方向の幅がＷ１であってもよい。幅Ｄ１及び幅Ｗ１は、例えば約３［ｃｍ］である。この場合であっても、本実施形態の通信システム１では、筐体１０５の大きさは、風防２１０より大きい。この結果、光通信を行うとき、対向部２０９を携帯機器１０の筐体によって覆うことができるので、外乱光を遮ることができる。
【００５４】
なお、図４に示した例では、携帯機器１０の表示部１０３の長辺に対して、電子時計２０のベルト２１７の縁を略平行に置く例を示したが、電子時計２０を置く角度や位置は、これに限られない。電子時計２０を置く位置や角度は、電子時計２０の風防２１０が、携帯機器１０の表示対向面１０３ｆの面内に収まればよく、風防対向面２１０ｆ及びベゼル対向面２１１ｆと、表示対向面１０３ｆとが対向するように配置されていればよい。
【００５５】
次に、通信システム１における光通信時の携帯機器１０と電子時計２０との配置例について説明する。
【００５６】
図５は、本実施形態に係る風防２１０を覆うように表示対向面１０３ｆをかざして光通信を行う例を説明する図である。図５における座標系は、図４と同様である。符号３０１で囲んだ領域の図、及び符号３０２が示す矢印の図は、外乱光を表す図である。
図５に示す例では、表示部１０３と対向部２０９（図３）とを対向させたときに、表示対向面１０３ｆと風防対向面２１０ｆとの距離より、表示対向面１０３ｆとベゼル対向面２１１ｆとの距離の方が離れている。
【００５７】
携帯機器１０と電子時計２０とを光通信させるとき、利用者は、図５に示すように携帯機器１０の表示対向面１０３ｆを、電子時計２０の風防対向面２１０ｆを覆うようにかざす。このとき、利用者は、図４に示したように風防２１０が表示対向面１０３ｆの面中に収まるようにする。これにより、携帯機器１０から、符号３０が示すようにデータが電子時計２０に送信される。
【００５８】
符号３０１で囲んだ領域の図の外乱光は、携帯機器１０の筐体１０５によって、風防２１０へ入射が遮られる。また、表示部１０３の大きさが風防２１０の大きさより大きいため、符号３０２が示す図の携帯機器１０の外側からの外乱光は、筐体１０５によって遮られて風防２１０へ入射しない。または、外乱光が真上からではなく斜めから入射する場合であっても、筐体１０５によって遮られるため、風防２１０に入射する光量は少ない。このように、図５に示した通信システム１では、光信号を受信する場合、外乱光を筐体１０５によって遮ることができるので、太陽電池２０１に入射する外乱光の影響を低減することができる。
【００５９】
表示対向面１０３ｆと風防対向面２１０ｆとの間隔は、例えば風防２１０の直径や短辺の長さより短いことが望ましい。これにより、符号３０２に示した図の外乱光の影響を、より低減することができる。この場合、利用者は、表示対向面１０３ｆを風防対向面２１０ｆの上にかざしたとき、風防２１０への外乱光が遮られ、風防対向面２１０ｆが筐体１０５の影に収まるようにかざすことが望ましい。なお、利用者は、電子時計２０を手首から外して、光通信を行うようにしてもよい。この場合、利用者は、片手で電子時計２０を図５のように風防２１０が上向きになるように保持し、他方の手で筐体１０５を保持して、表示対向面１０３ｆを風防対向面２１０ｆの上にかざすようにしてもよい。すなわち、光通信を行うとき、利用者は、風防２１０に外乱光が入射しないように対向させればよい。
【００６０】
ここで、図５における風防対向面２１０ｆ及びベゼル対向面２１１ｆの表面について説明する。図５に示した例では、風防対向面２１０ｆと表示対向面１０３ｆとが接触していない。このため、風防対向面２１０ｆ及びベゼル対向面２１１ｆの表面は、平坦面であってもよく、曲面であってもよい。さらに、ベゼル対向面２１１ｆの表面には、凹凸があってもよい。本実施形態では、このような形状であっても、風防２１０を介して太陽電池２０１に入射する外乱光を、筐体１０５によって遮ることができる。
なお、風防対向面２１０ｆの表面と表示対向面１０３ｆとがそれぞれ平坦面である場合、光通信を行うとき、利用者は、風防対向面２１０ｆの表面と表示対向面１０３ｆとを接触させるようにしてもよい。これにより、符号３０２が示す図の外乱光の影響を、さらに低減することができる。
【００６１】
図６は、本実施形態に係る表示対向面１０３ｆに風防対向面２１０ｆを接触させて光通信を行う例を説明する図である。図６における座標系は、図４と同様である。符号３１１で囲んだ領域の図、及び符号３１２が示す図は、外乱光を表す図である。なお、図６に示す例では、表示対向面１０３ｆ及び風防対向面２１０ｆそれぞれは、平坦面である。
【００６２】
携帯機器１０と電子時計２０とを光通信させるとき、利用者は、図６に示すように表示対向面１０３ｆの上方から、風防対向面２１０ｆを接触させる。このとき、利用者は、図４を用いて説明したように、風防２１０が表示対向面１０３ｆの面中に収まるように電子時計２０を配置させる。
表示対向面１０３ｆ及び風防対向面２１０ｆそれぞれの表面が平坦面であるため、図６に示した符号４０１が示す領域では、表示対向面１０３ｆと風防対向面２１０ｆとが、実質的に隙間無く接触する。
【００６３】
符号３１１に示す領域の図の外乱光は、電子時計２０の裏蓋２１５やケース２１６によって遮られる。また、図６に示した符号３１２に示す図の電子時計２０の外側の外乱光は、携帯機器１０の筐体１０５の大きさが風防２１０の大きさより大きいため、かつ表示対向面１０３ｆと風防対向面２１０ｆとを接触させているため、風防２１０を介して太陽電池２０１に入射する光量が少ない。このように、図６に示した通信システム１では、光信号を受信する場合、太陽電池２０１に入射する外乱光の影響を低減することができる。
【００６４】
図５及び図６に示したように、本実施形態では、電子時計２０の対向部２０９の大きさより携帯機器１０の筐体１０５の大きさを大きくしたので、太陽電池２０１への外乱光を遮ることができる。または、本実施形態では、外乱光の影響を低減することができる。この結果、電子時計２０は、屋外などの外乱光が多い環境であっても、携帯機器１０から必要なデータのみを受信することができるので、光信号とノイズである外乱光とのＳＮ（Ｓｉｇｎａｌ−ｔｏ−Ｎｏｉｓｅ；信号対ノイズ）比を向上させることができる。
【００６５】
なお、本実施形態では、表示部１０３の表示を変化させる例として、バックライト装置１０３１の光の輝度を制御部１０２が制御する例を説明したが、これに限られない。例えば、制御部１０２は、バックライト装置１０３１の光の輝度を一定に保ったまま表示パネル１０３２の表示を、例えば白と黒とに切り替えることで表示を変化させてもよい。
さらに、表示部１０３が自己発光可能な有機ＥＬ（エレクトロルミネッセンス）パネル等である場合、表示部１０３は、バックライト装置１０３１を備えていなくてもよい。この場合、制御部１０２は、表示部１０３の光の輝度を変化させ、または、輝度を一定に保ったまま表示部１０３の表示を変化させるようにしてもよい。
【００６６】
以上のように、本実施形態の通信システム１は、一辺の長さが５ｃｍ以上の筐体１０５と、表示を変化させることで電子機器（電子時計２０）に光信号を送信する表示部１０３とを有する携帯機器１０と、光信号を受信するときに表示部と対向する対向部２０９の大きさが筐体より小さく、対向部を介して入射される光信号を受信する電子機器と、を備える。
【００６７】
この構成によって、本実施形態によれば、電子時計２０の対向部２０９は、携帯機器１０の筐体１０５の大きさより小さいものとなっている。この構成によって、通信システム１では、対向部２０９を携帯機器１０で覆うことができるので、対向部２０９へ入る外乱光を遮ることができる。これにより電子時計２０は、外乱光の影響が低減される。この結果、本実施形態の通信システム１では、携帯機器１０からの光信号と、ノイズである外乱光とのＳＮ比を向上させることができる。
なお、以上の効果を奏するのであれば、筐体１０５は、利用者が携帯可能な大きさであればよく、例えば、５ｃｍ〜２０ｃｍの一辺を有する形態であってもよい。これにより、筐体１０５は携帯可能であるとともに、光信号を送信するときの電子時計２０へのノイズを抑制することができる。
【００６８】
また、本実施形態の通信システム１において、対向部２０９は、光信号を受信するときに表示部１０３と対向する対向面（風防対向面２１０ｆ）を有する風防２１０と、対向面（ベゼル対向面２１１ｆ）を有し、風防の周縁部を覆うベゼル２１１と、を備え、表示部と対向部との接触により光信号の送受信を行う場合、風防の対向面及びベゼルの対向面のうち、少なくとも１つの対向面が平坦面である。
また、本実施形態の通信システム１において、風防２１０の対向面（風防対向面２１０ｆ）は、平坦面であり、表示部１０３と対向部２０９とを対向させたときに、表示部と風防の対向面との距離より、表示部とベゼル２１１の対向面（ベゼル対向面２１１ｆ）との距離の方が離れている。
【００６９】
この構成によって、本実施形態の通信システム１では、図６を用いて説明したように、表示対向面１０３ｆと風防対向面２１０ｆとを接触させることで、風防２１０を介して太陽電池２０１に入射する外乱光の光量を低減することができる。この結果、通信システム１は、外乱光が多い環境であっても、必要なデータのみを受信することができるので、光信号と、ノイズである外乱光とのＳＮ比を向上させることができる。
【００７０】
また、本実施形態の通信システム１において、携帯機器１０は、表示部１０３全体の表示を光信号に応じて変化させて光信号の送信を行う。
この構成によって、電子時計２０は、携帯機器１０から送信される信号を受信するために、Ｂｌｕｅｔｏｏｔｈ（登録商標）等の無線通信を用いた通信を行う回路を備えずに済み、無線通信による電力を消費しなくて済む。
【００７１】
また、本実施形態の通信システム１において、電子機器（電子時計２０）は、送信された光信号を、太陽電池２０１を用いて受光して受信する。
この構成によって、電子時計２０は、Ｂｌｕｅｔｏｏｔｈ（登録商標）等の無線通信を備えずに、電子時計２０が備える太陽電池２０１を用いて、光信号の受信を行うことができる。
【００７２】
＜第２実施形態＞
第１実施形態では、表示部１０３と対向部２０９とを対向させたときに、表示対向面１０３ｆと風防対向面２１０ｆとの距離より、表示対向面１０３ｆとベゼル対向面２１１ｆとの距離の方が離れている例を説明したが、本実施形態では、風防対向面とベゼル対向面とが同一面に形成されている例を説明する。
なお、通信システム１Ａのブロック図は、図１と同様であり、電子時計２０を電子時計２０Ａに置き換えたものである。電子時計２０と電子時計２０Ａの差は、対向部２０９Ａ及び風防２１０Ａである。なお、本実施形態においても、携帯機器１０の筐体１０５の大きさが、電子時計２０Ａの対向部２０９Ａより大きい。
【００７３】
図７は、本実施形態に係る電子時計２０Ａの概略断面図である。図７における座標系は、図３（Ａ）と同様である。図３に示した電子時計２０との差は、風防対向面２１０Ａｆのｚ軸方向の高さである。
図７に示す電子時計２０Ａでは、ｚ軸方向において、底面２１５ｆから風防対向面２１０Ａｆまでの高さｈ３は、底面２１５ｆからベゼル対向面２１１ｆまでの高さｈ１の高さと等しい。このため、図７に示したように、風防対向面２１０Ａｆとベゼル対向面２１１ｆとは、同一平面上に形成されている。なお、風防対向面２１０Ａｆ及びベゼル対向面２１１ｆそれぞれは、ｘｙ平面において平坦面であってもよい。また、風防２１０Ａとベゼル２１１との間に、例えばＶ字型等の窪や隙間が形成されていてもよい。
また、ベゼル２１１は、外乱光の遮光、風防２１０Ａの保護、防水性の確保等の機能、電子時計２０Ａの表示を補う印字等を有している。ベゼル２１１の材質は、外乱光を遮るものであればよく、金属、外乱光を透過しない色の樹脂等であることが好ましい。
【００７４】
図８は、本実施形態に係る表示対向面１０３ｆに風防対向面２１０Ａｆを接触させて光通信を行う例を説明する図である。図８における座標系は、図６と同様である。符号３２１で囲んだ領域の図、及び符号３２２が示す図は、外乱光を表す図である。なお、図８に示す例において、表示対向面１０３ｆ、風防対向面２１０Ａｆ、及びベゼル対向面２１１ｆそれぞれは、平坦面である。また、図８に示す例では、風防対向面２１０Ａｆとベゼル対向面２１１ｆとが連続的な平面を形成している。さらに、ベゼル対向面２１１ｆには、凹凸がない。
【００７５】
携帯機器１０と電子時計２０Ａとの間で光通信させるとき、利用者は、図８に示すように表示対向面１０３ｆの上方から、風防対向面２１０Ａｆ及びベゼル対向面２１１ｆを接触させる。このとき、利用者は、図４を用いて説明したように、対向部２０９Ａが表示対向面１０３ｆの面中に収まるように電子時計２０Ａを配置させる。
表示対向面１０３ｆ、ベゼル対向面２１１ｆ、及び風防対向面２１０Ａｆそれぞれの表面が平坦面であるため、符号４１１が示す領域では、風防対向面２１０Ａｆ及びベゼル対向面２１１ｆと、表示対向面１０３ｆとは、実質的に隙間無く接触する。
【００７６】
図８に示した符号３２１に示す領域の図の外乱光は、電子時計２０Ａの裏蓋２１５やケース２１６によって遮られる。また、図８に示した符号３２２に示す図の電子時計２０Ａの外側の外乱光は、筐体１０５の大きさが風防２１０Ａの大きさより大きいため、かつ互いに平坦面を有する表示対向面１０３ｆとベゼル対向面２１１ｆとを接触させているため、ベゼル２１１によって遮られる。これにより、風防２１０Ａを介して太陽電池２０１に入射する外乱光を遮ることができる。このように、図８に示した通信システム１Ａでは、光信号を受信する場合、太陽電池２０１に入射する外乱光を遮ることができる。
【００７７】
なお、図８に示した例では、携帯機器１０の表示対向面１０３ｆの上から電子時計２０Ａの対向部２０９Ａを接触させて光通信を行う例を説明したが、これに限られない。通信システム１Ａでは、携帯機器１０の表示対向面１０３ｆと、電子時計２０Ａの対向部２０９Ａとが対向していればよく、図５に示したように、風防２１０Ａを覆うように携帯機器１０をかざして光通信を行うようにしてもよい。
【００７８】
通信システム１Ａでは、携帯機器１０の筐体１０５の大きさが電子時計２０の対向部２０９Ａより大きいため、風防２１０Ａを覆うように表示部１０３の上面をかざして光通信を行う場合であっても、光信号を受信する場合に、太陽電池２０１に入射する外乱光の影響を低減できる。図５に示した例において、電子時計２０を電子時計２０Ａに置き換えると、符号３０１で囲んだ領域の図の外乱光は、筐体１０５によって、風防２１０Ａへ入射が遮られる。また、筐体１０５の大きさが風防２１０Ａの大きさより大きいため、符号３０２が示す図の携帯機器１０の外側からの外乱光は、筐体１０５によって遮られて、かつベゼル２１１によっても遮られる。この結果、図５に示した符号３０２が示す図の携帯機器１０の外側からの外乱光は、風防２１０Ａへ入射しないか、または風防２１０Ａに入射する光量は電子時計２０より少ない。この結果、本実施形態の通信システム１Ａでは、光信号を受信する場合、太陽電池２０１に入射する外乱光の影響をさらに低減することができる。
【００７９】
なお、風防対向面２１０Ａｆ及びベゼル対向面２１１ｆと、表示対向面１０３ｆとを接触させずに、風防２１０Ａを覆うように携帯機器１０をかざして光通信を行う場合、風防対向面２１０Ａｆ及びベゼル対向面２１１ｆの表面の形状は、第１実施形態で説明したように平坦面であってもよく、曲面であってもよい。さらに、ベゼル対向面２１１ｆの表面には、凹凸があってもよい。
【００８０】
以上のように、本実施形態の通信システム１Ａは、ベゼル２１１の対向面（ベゼル対向面２１１ｆ）は、風防２１０Ａの対向面（風防対向面２１０Ａｆ）と同一平面上にあり、ベゼルの対向面と風防の対向面とが平坦面である。
【００８１】
この構成によって、本実施形態の通信システム１Ａでは、表示部１０３と対向部２０９Ａとを密着させることができる。これにより、通信システム１Ａでは、図８のように表示対向面１０３ｆに風防対向面２１０Ａｆ及びベゼル対向面２１１ｆを接触させて光通信を行う場合であっても、外乱光は、携帯機器１０の筐体１０５、電子時計２０Ａの裏蓋２１５、ベゼル２１１によって遮られる。また、図５のように風防２１０Ａを覆うように表示部１０３の上面をかざして光通信を行う場合であっても、外乱光は、携帯機器１０の筐体１０５、電子時計２０Ａの裏蓋２１５、ベゼル２１１によって遮られる。この結果、通信システム１Ａでは、外乱光が多い環境であっても、ベゼル２１１によって外乱光を遮ることができるので、光信号とノイズである外乱光とのＳＮ比を向上させることができる。
【００８２】
＜第３実施形態＞
第２実施形態では、風防対向面２１０Ａｆとベゼル対向面２１１ｆとが、同一平面上に形成されている例を説明したが、本実施形態では、表示部１０３と対向部２０９とを対向させたときに、表示対向面１０３ｆとベゼル対向面との距離より、表示対向面１０３ｆと風防対向面との距離の方が離れている例を説明する。
なお、通信システム１Ｂのブロック図は、図１と同様であり、電子時計２０を電子時計２０Ｂに置き換えたものである。電子時計２０と電子時計２０Ｂの差は、対向部２０９Ｂ及びベゼル２１１Ｂである。また、本実施形態においても、携帯機器１０の筐体１０５の大きさが、電子時計２０の対向部２０９Ｂより大きい。
【００８３】
図９は、本実施形態に係る電子時計２０Ｂの概略断面図である。図９における座標系は、図３（Ａ）と同様である。図３（Ａ）に示した電子時計２０との差は、ベゼル対向面２１１Ｂｆのｚ軸方向の高さである。図９に示す電子時計２０Ｂでは、ｚ軸方向において、底面２１５ｆから風防対向面２１０ｆまでの高さｈ１より、底面２１５ｆからベゼル対向面２１１Ｂｆまでの高さｈ４の方が高い。
【００８４】
図１０は、本実施形態に係る表示対向面１０３ｆにベゼル対向面２１１Ｂｆを接触させて光通信を行う例を説明する図である。図１０における座標系は、図６と同様である。符号３４１で囲んだ領域の図、及び符号３４２が示す図は、外乱光を表す図である。なお、図１０に示す例では、表示対向面１０３ｆ及びベゼル対向面２１１Ｂｆそれぞれは、平坦面である。さらに、ベゼル対向面２１１Ｂｆには、凹凸がない。また、表示対向面１０３ｆと風防対向面２１０ｆとの間には、（ｈ４−ｈ１）の隙間が生じる。
【００８５】
携帯機器１０と電子時計２０Ｂとの間で光通信を行わせるとき、利用者は、図１０に示すように表示対向面１０３ｆの上方から、ベゼル対向面２１１Ｂｆを接触させる。このとき、利用者は、図４を用いて説明したように、対向部２０９Ｂが表示対向面１０３ｆの面中に収まるように電子時計２０Ｂを配置させる。
表示対向面１０３ｆ及びベゼル対向面２１１Ｂｆそれぞれの表面が平坦面であるため、符号４２１が示す領域の図のように、ベゼル対向面２１１Ｂｆと、表示対向面１０３ｆとは、実質的に隙間無く接触する。
【００８６】
図１０に示した符号３４１に示す領域の図の外乱光は、電子時計２０Ｂの裏蓋２１５やケース２１６によって遮られる。また、図１０に示した符号３４２に示す図の電子時計２０Ｂの外側の外乱光は、筐体１０５の大きさが風防２１０の大きさより大きいため、かつ表示対向面１０３ｆとベゼル対向面２１１Ｂｆとを接触させているため、ベゼル２１１Ｂによって遮られる。これにより、風防２１０を介して太陽電池２０１に入射する外乱光を遮ることができる。このように、図１０に示した通信システム１Ｂでは、光信号を受信する場合、太陽電池２０１に入射する外乱光を遮ることができる。
【００８７】
なお、図１０に示した例では、携帯機器１０の表示部１０３の上から電子時計２０Ｂの対向部２０９Ｂを接触させて光通信を行う例を説明したが、これに限られない。通信システム１Ｂでは、携帯機器１０の表示部１０３と、電子時計２０Ｂの対向部２０９Ｂとが対向していればよく、図５に示したように、風防２１０を覆うように携帯機器１０をかざして光通信を行うようにしてもよい。風防２１０を覆うように携帯機器１０をかざして光通信を行う場合であっても、筐体１０５の大きさが対向部２０９Ｂより大きいため、光信号を受信するとき、第２実施形態の電子時計２０Ａと同様に、太陽電池２０１に入射する外乱光の影響を低減することができる。この結果、本実施形態の通信システム１Ｂでは、光信号を受信する場合、太陽電池２０１に入射する外乱光の影響を低減することができる。
なお、図５に示したように風防２１０を覆うように携帯機器１０をかざして光通信を行う場合、風防対向面２１０ｆ及びベゼル対向面２１１Ｂｆの表面は、平坦面であってもよく、曲面であってもよい。さらに、ベゼル対向面２１１Ｂｆの表面には、凹凸があってもよい。
【００８８】
以上のように、本実施形態の通信システム１Ｂにおいて、ベゼル２１１Ｂの対向面（ベゼル対向面２１１Ｂｆ）は、平坦面であり、表示部１０３と対向部２０９Ｂとを対向させたときに、表示部とベゼルの対向面との距離より、表示部と風防２１０の対向面（風防対向面２１０ｆ）との距離の方が離れている。
【００８９】
この構成によって、本実施形態の通信システム１Ｂでは、第２実施形態の電子時計２０Ａと同様に、表示対向面１０３ｆとベゼル対向面２１１Ｂｆとを密着させて光通信を行うことができる。これにより、通信システム１Ｂは、ベゼル２１１Ｂによって、外乱光を遮ることができる。この結果、電子時計２０Ｂは、外乱光が多い環境であっても、携帯機器１０から必要なデータのみを受信することができるので、光信号とノイズである外乱光とのＳＮ比を向上させることができる。
【００９０】
なお、第１実施形態〜第３実施形態では、電子時計（２０、２０Ａ、２０Ｂ）の例として、アナログ表示で時刻等を表示する例を説明したが、これに限られない。電子時計２０は、デジタル表示で時刻等を表示する時計であってもよい。
また、第１本実施形態〜第３実施形態では、電子機器の一例として電子時計（２０、２０Ａ、２０Ｂ）を用いて説明したが、これに限られない。電子機器は、太陽電池２０１を備え、太陽電池２０１の上部に設けられている対向部（２０９、２０９Ａ、２０９Ｂ）の大きさが、携帯機器１０の筐体１０５より小さい装置であり、携帯機器１０から光信号を受信する装置であればよい。例えば、電子機器は、歩数計等であってもよい。
【００９１】
なお、第１実施形態〜第３実施形態では、携帯機器１０の表示部１０３の形状が長方形の例を説明したが、形状はこれに限られない。表示部１０３の形状は、円形、楕円形、正方形、多角形等の形状であってもよい。円形、楕円形の場合、直径、長径、または短径が５ｃｍ以上であってもよい。同様に、風防２１０（２１０Ａ）の形状も、円形に限られず、楕円形、樽型、正方形、多角形等の形状であってもよい。
【００９２】
なお、上述した実施形態における携帯機器１０または電子時計（２０、２０Ａ、２０Ｂ）が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００９３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９４】
以上、本発明の実施形態について説明したが、本発明は、上記実施形態に限定されるものではなく、本発明の趣旨を逸脱しない範囲において種々の変更を加えることが可能である。
【００９５】
例えば、制御部１０２は、バックライト装置１０３１のオン状態と同期させて、表示パネル１０３２に白色の画像を表示するように制御するようにしてもよい。そして、制御部１０２は、バックライト装置１０３１のオフ状態と同期させて、表示パネル１０３２に黒色の画像を表示するように制御するようにしてもよい。この場合も、携帯機器１０は、表示部１０３に表示される画像を制御することでも、電子時計（２０、２０Ａ、２０Ｂ）へ異なる輝度の光信号を送信することができる。
また、外乱光の風防２１０への入射を抑制することができる範囲であれば、利用者は、表示対向面１０３ｆが風防対向面２１０ｆに対して斜めになるように筐体１０５を位置させて光通信をすることができる。
【符号の説明】
【００９６】
１、１Ａ、１Ｂ…通信システム、１０…携帯機器、２０、２０Ａ、２０Ｂ…電子時計、１０１…時刻データ取得部、１０２…制御部、１０３…表示部、１０３１…バックライト装置、１０３２…表示パネル、１０３ｆ…表示対向面、１０４…入力部、１０５…筐体、２０１…太陽電池、２０２…制御回路、２０３…スイッチ、２０４…二次電池、２０５…ダイオード、２０６…基準信号生成回路、２０７…ステッピングモータ、２０８…表示部、２０９…対向部、２１０、２１０Ａ…風防、２１０ｆ、２１０Ａｆ…風防対向面、２１１、２１１Ｂ…ベゼル、２１１ｆ、２１１Ｂｆ…ベゼル対向面、２１２…記憶部、２１３…入力部、２１４…基盤、２１５…裏蓋、２１６…ケース、２１７…ベルト、２０８１…文字板、２０８２…指針、２０８３…日付部、２０８２−１…秒針、２０８２−２…長針、２０８２−３…短針、２０８３…指針軸
【図１】
2016063363.tif 000003
【図２】
2016063363.tif 000004
【図３】
2016063363.tif 000005
【図４】
2016063363.tif 000006
【図５】
2016063363.tif 000007
【図６】
2016063363.tif 000008
【図７】
2016063363.tif 000009
【図８】
2016063363.tif 000010
【図９】
2016063363.tif 000011
【図１０】
2016063363.tif 000012